(57)【要約】【課題】把持部材が駆動軸挟んで左右両側に均等な脱圧力を掛けるための受圧面積があり、加工が簡単で安価に製作可能なスクリュエレメントの抜き装置のニーディングデスクの把持部材を提供すること。【解決手段】スクリュ駆動軸にニーディングディスクを含む複数個のスクリュエレメントを貫装してなる組立式スクリュを外径部から把持部材で把持した後、押圧手段によりスクリュ駆動軸を軸方向に押出すスクリュエレメントの抜き装置の把持部材において、把持部材２１は２個の部材から構成され、少なくとも一側のスクリュ把持面が軸方向に複数個重ねたデイスクプレート２０ａ〜２０ｅよりなるニーディングデスク２０の隣接する２〜３個のデイスクプレートの外形曲面に接するＶ字平面でであることを特徴とするスクリュエレメントの抜き装置の把持部材２１。【選択図】          図１
2004160770.tif 000002
【特許請求の範囲】
【請求項１】
スクリュ駆動軸にニーディングディスクを含む複数個のスクリュエレメントを貫装してなる組立式スクリュを外径部から把持部材で把持した後、押圧手段によりスクリュ駆動軸を軸方向に押出すスクリュエレメントの抜き装置の把持部材において、把持部材は２個の部材から構成され、少なくとも一側のスクリュ把持面が軸方向に複数個重ねたデイスクプレートよりなるニーディングデスクの隣接する２〜３個のデイスクプレートの外形曲面に接するＶ字平面でであることを特徴とするスクリュエレメントの抜き装置の把持部材。
【請求項２】
前記スクリュ把持面のＶ字平面の互に相対する面には夫々直角な端部平面を有し、この直角な端部平面は互にデイスクプレート１〜２個分軸方向に変位させることを特徴とする請求項１記載のスクリュエレメントの抜き装置の把持部材。
【請求項３】
スクリュ把持面がＶ字平面の挟み角は４０°〜５０°であることを特徴とする請求項１および請求項２の内のいずれか１記載のスクリュエレメントの抜き装置の把持部材。
【請求項４】
前記スクリュ把持面のＶ字平面の１側は鉛直面に対し５°〜１５°であることを特徴とする請求項３記載のスクリュエレメントの抜き装置の把持部材。
【請求項５】
スクリュ把持面がＶ字平面の挟み角は５５°〜６５°であることを特徴とする請求項１および請求項２の内のいずれか１記載のスクリュエレメントの抜き装置の把持部材。
【請求項６】
前記スクリュ把持面のＶ字平面の１側は鉛直面に対し１０°〜２０°であることを特徴とする請求項５記載のスクリュエレメントの抜き装置の把持部材。
【請求項７】
前記スクリュ把持面のＶ字平面のＶ字深さはニーディングデスクの外径寸法の半分であることを特徴とする請求項１および請求項６の内のいずれか１記載のスクリュエレメントの抜き装置の把持部材。
【発明の詳細な説明】
【０００１】
【発明の属する技術分野】
本発明は押出機に用いるスクリュ駆動軸にニーディングディスクを含む複数個のスクリュエレメントを貫装してなる組立式スクリュからスクリュエレメントを抜くためのスクリュエレメント抜き装置に係り、特にスクリュエレメントの内のニーディングディスクを抜く際に外径部から把持する把持部材に関する。
【０００２】
【従来の技術】
複数個のスクリュエレメントを貫装してなる組立式スクリュを用いる押出機
、特に同方向回転の２軸押出機用のスクリュは溝形状が深溝である上に大きな駆動トルクを必要とするため、スクリュエレメントのスクリュ駆動軸への嵌着は直径が必要駆動トルクの割には小径となり、特殊形状のスプラインを使用する等の厳しい精度と寸法公差が要求される。
【０００３】
従って、メンテナンス等でスクリュエレメントをスクリュ駆動軸から抜く場合、スクリュエレメントとスクリュ駆動軸の間に入込んだ溶融樹脂の影響でスクリュ駆動軸の軸方向に大きな力をかけるためのスクリュエレメント抜き装置を必要とした。
【０００４】
次に図３ないし図５によりスクリュエレメント抜き装置を説明すると、スクリュエレメント抜き装置１は複数個の切り欠き部２ａ、２ｂ……を軸方向の同一位置に有し、スクリュ駆動軸３に複数個のスクリュエレメント４ａ、４ｂ……を貫装してなる組立式スクリュ４を置くための間隙部を形成する互いに対峙する１対の側板５、６と、１対の側板５、６の互に同一位置の切り欠き部２ａ、２ｂ……に装着され、スクリュ４の軸方向に対し直角を成すストッパ７とを有して成る架台８と、同架台８上の１対の側板５、６の先端部に設けた前記組立式スクリュ４のスクリュエレメント４ａ、４ｂ……を外径部から把持する把持部材９ａ、９ｂを有する押圧保持手段１０が取付けてある。
【０００５】
前記ストッパ７と組立式スクリュ４のスクリュ駆動軸３端面の間には押圧用シリンダ１１が設けてあり、スクリュエレメント４ａ、４ｂ……を抜くときには押圧保持手段１０の把持部材９ａ、９ｂをクランプシリンダ１２により先ずスクリュエレメント４ａをクランプし、スクリュエレメント４ａから順に把持し、ストッパ７とスクリュ駆動軸３端面の間Ｌを油圧や空気圧による押圧用シリンダ１１を伸ばすことによ広げ、スクリュエレメント４ａを押圧保持手段１０の把持部材９ａ、９ｂの位置に残したままスクリュ駆動軸３を図中右方向に押し出す。同様にしてスクリュエレメント４ｂ、次いで他のスクリュエレメントも順々にスクリュ駆動軸３から抜くことが可能である。
【０００６】
【発明が解決しょうとする課題】
しかしながら前記押圧保持手段１０の把持部材９ａ、９ｂには図５に示すように把持面には単なるＶ字面あるいはスクリュエレメント４ａ、４ｂ……の外形形状に合わせた複雑で高価な把持面を設けてあり、従って前者の場合、クランプシリンダ１２によりスクリュエレメント４ａをクランプし、押圧用シリンダ１１により駆動軸３を軸方向に押し圧した場合、把持部材９ａおよび把持部材９ｂは夫々その把持面がＶ字面である場合はスクリュエレメント４はクランプから逃げてしまうか又は破損などしやすく、スクリュエレメント４は駆動軸３から抜くことが困難であったり、スクリュエレメント４がクランプから逃げないように押し圧力を大きくするとスクリュエレメント４と駆動軸３の隙間が小さくなり、スクリュエレメント４はなおさら抜け難くなった。
【０００７】
また後者のスクリュエレメント４ａ、４ｂ……の外形形状に合わせた把持面を設ける場合は複雑で高価な加工費を要し、機械装置全体の価格に影響した。
特にスクリュエレメントの内のニーディングデスクは形状が複雑で、外形形状に合わせた把持部材を製作することは勿論、スクリュ駆動軸を挟んで左右両側に均等な脱圧力を掛けるための受圧面積を設けることが困難であった。
【０００８】
ここでニーディングデスクに付いて図６により説明すると、ニーディングデスク１５はスクリュねじを設けた他のスクリュエレメント１６および１７等の間に共にスクリュ駆動軸１８に貫装されており、複数個のディスクプレート１５（１５ａ、１５ｂ……１５ｅの５個）を４５°ずつ位相をずらして軸方向に重ね合わせて構成されていて、樹脂材料の移送能力がなく、樹脂材料の混合・分散等を行なうために設けてある。
【０００９】
本発明の目的は前述のようなニーディングデスク１５をスクリュ駆動軸３から抜くに際し、把持部材に良いものがなかったという欠点を取除き、把持部材の把持面が駆動軸１８を挟んで左右両側に均等な脱圧力を掛けるための受圧面積を設け、押し圧時にニーディングデスク１５を逃がさないように確実にクランプし、しかも複雑な外形形状でなく、加工が簡単で安価に製作可能なスクリュエレメントの抜き装置のニーディングデスクの把持部材を提供することにある。
【００１０】
【課題を解決するための手段】
前述の目的を達成するため第１の本発明はスクリュ駆動軸にニーディングディスクを含む複数個のスクリュエレメントを貫装してなる組立式スクリュを外径部から把持部材で把持した後、押圧手段によりスクリュ駆動軸を軸方向に押出すスクリュエレメントの抜き装置の把持部材において、把持部材は２個の部材から構成され、少なくとも一側のスクリュ把持面が軸方向に複数個重ねたデイスクプレートよりなるニーディングデスクの隣接する２〜３個のデイスクプレートの外形曲面に接するＶ字平面でであることを特徴とするスクリュエレメントの抜き装置の把持部材。
【００１１】
また第２の発明はスクリュ把持面のＶ字平面の互に相対する面には夫々直角な端部平面を有し、この直角な端部平面は互にデイスクプレート１〜２個分軸方向に変位させることを特徴とするスクリュエレメントの抜き装置の把持部材
とした。
【００１２】
また第３の発明はスクリュ把持面がＶ字平面の挟み角は４０°〜５０°であることを特徴とするスクリュエレメントの抜き装置の把持部材とした。
【００１３】
さらに第４の発明はスクリュ把持面のＶ字平面の１側は鉛直面に対し５°〜１５°であることを特徴とするスクリュエレメントの抜き装置の把持部材。
【００１４】
さらに第５の発明はスクリュ把持面がＶ字平面の挟み角は５５°〜６５°であることを特徴とするスクリュエレメントの抜き装置の把持部材とした。
【００１５】
さらにまた第６の発明は前記スクリュ把持面のＶ字平面の１側は鉛直面に対し１０°〜２０°であることを特徴とするスクリュエレメントの抜き装置の把持部材とした。
【００１６】
さらにまた第７の発明はスクリュ把持面のＶ字平面のＶ字深さはニーディングデスクの外径寸法の半分であることを特徴とするスクリュエレメントの抜き装置の把持部材とした。
【００１７】
これにより押圧保持手段の把持部材はその把持面に駆動軸挟んで左右両側に均等な脱圧力が掛かるとともに、押し圧時にニーディングデスクを逃がさないように確実にクランプすることが出来る。
【００１８】
【発明の実施の形態】
以下本発明の実施の形態をディスクプレート２０ａないし２０ｅの５枚重ねたニーディングデイスク２０の場合を例に採り図１（イ）および図１（ロ）により説明する。
ニーディングデイスク把持部材２１はほぼＶ字面２２および２３を有し、Ｖ字面２２にはディスクプレート２０ｄおよび２０ｅの外形曲面が接触し、Ｖ字面２３にはディスクプレート２０ｃおよび２０ｄの外形曲面が接するようにしてある。この両Ｖ字面２２および２３には夫々ニーディングデイスク２０を押し圧する際の大きな力が軸に対し左右均等に受ける斜線で示す受圧面ＣおよびＤとなる両Ｖ字面２２および２３に夫々直角な端部平面２４および２５が設けてあり、同端部平面２４および２５は互にディスクプレート１〜２個分（本例は１枚）軸方向に変位させてある。
【００１９】
前記Ｖ字面２２の鉛直面に対する角度は５〜１５°であり、好適には１０°程度が受圧面ＣおよびＤがほぼ等しく、最大となり、Ｖ字面２２および２３の成す挟み角は４０°〜５０°程度が良い。
またＶ字面２２および２３のＶ字深さＨはスクリュの中心位置とほぼ同一深さで、これ以上深くても受圧面ＣおよびＤの大きさも余り変わらず、作業性もこの程度が良い。
【００２０】
次に本発明の他の実施の形態をディスクプレート３０ａないし３０ｇの７枚を重ねたニーディングデイスク３０の場合を例に採り図２（イ）および図２（ロ）により説明する。
ニーディングデイスク把持部材３１はほぼＶ字面３２および３３を有し、Ｖ字面３２にはディスクプレート３０ｅないし３０ｇの外形曲面が接触し、Ｖ字面３３にはディスクプレート３０ｃおよび３０ｅの外形曲面が接するようにしてある。この両Ｖ字面３２および３３には夫々ニーディングデイスク３０を押し圧する際の大きな力が軸に対し左右均等に受ける斜線で示す受圧面ＥおよびＦとなる両Ｖ字面３２および３３に夫々直角な端部平面３４および３５が設けてあり、同端部平面３４および３５は互にディスクプレート２個分軸方向に変位させてある。
【００２１】
前記Ｖ字面３２の鉛直面に対する角度は１０〜２０°であり、受圧面ＥおよびＦがほぼ等しく、最大となり、Ｖ字面３２および３３が成す挟み角は５５°〜６５°程度が良い。
またＶ字面３２および３３のＶ字深さＨはスクリュの中心位置とほぼ同一深さで、これ以上深くても受圧面ＥおよびＦの大きさも余り変わらず、作業性もこの程度が良い。
【００２２】
【発明の効果】
以上説明したように本発明は当初に掲げた欠点が取除かれ、把持部材の把持面が駆動軸挟んで左右両側に均等な脱圧力を掛ける受圧面積を設け、押し圧時にニーディングデスクを逃がさないように確実にクランプし、しかも加工が簡単で安価に製作可能なスクリュエレメントの抜き装置のニーディングデスクの把持部材となった。
【図面の簡単な説明】
【図１】本発明の１実施形態例を示すスクリュエレメント抜き装置の把持部材の説明図で、（イ）は５枚のディスクプレートからなるニーディングデスクの場合の把持部材の平面図、（ロ）はその正面図である。
【図２】本発明の他の実施形態例を示すスクリュエレメント抜き装置の把持部材の説明図で、（イ）は７枚のディスクプレートからなるニーディングデスクの場合の把持部材の平面図、（ロ）はその正面図である。
【図３】従来のスクリュエレメント抜き装置の説明図で、その正面図である。
【図４】従来のスクリュエレメント抜き装置の説明図で、その側面図であり、図３のＺ矢視図である。
【図５】従来のスクリュエレメント抜き装置の説明図で、図４の断面Ａ−Ａ図の詳細な拡大図であり、把持部材の説明図である。
【図６】ニーディングデスクの説明図で、（イ）はスクリュの一部を示す側面図、（ロ）は図（イ）の断面Ｂ−Ｂ図であるる。
【符号の説明】
２０、３０  ニーディングデスク
２１。３１  把持部材
２２、２３、２４、２５  Ｖ字面
２４、２５、３４、３５  端部平面
【図１】
2004160770.tif 000003
【図２】
2004160770.tif 000004
【図３】
2004160770.tif 000005
【図４】
2004160770.tif 000006
【図５】
2004160770.tif 000007
【図６】
2004160770.tif 000008